(57)【要約】【課題】相対的に移動可能な内箱部と外箱部とを備えるパッケージを提供する。【解決手段】内箱部はユーザーによって閉位置から開位置へと移動され得る。この移動に抗するための係止タブと係合部とが設けられ、パッケージが不用意に開かないように構成されている。さらに、上記係止タブは上記閉位置と開位置の一方または双方に受容された際に音を発するように構成されてもよい。【選択図】図１Ｂ
2015515947.tif 000002
【特許請求の範囲】
【請求項１】
外箱部と、
前記外箱部の内側に配され、第一の位置と第二の位置との間で前記外箱部に対して移動可能な内箱部と、
前記内箱部と前記外箱部との各対向面に設けられた係止タブと係合部とを有する係止機構と、を備えるパッケージであって、
前記係止タブと前記係合部とは、前記第一の位置から前記第二の位置への前記内箱部の移動によって該係止タブの少なくとも１つが、第一の方位から、該係止タブが前記対向面に対して垂直に延在する垂直方位を通過して第二の方位へヒンジまわりに回動するように配設されていることを特徴とするパッケージ。
【請求項２】
前記第一の位置および前記第二の位置の一方または双方において、前記係止タブが前記外箱部に隠れる、請求項１に記載のパッケージ。
【請求項３】
第二の係合部をさらに備え、該第二の係合部は少なくとも一つの前記係止タブに係合するように配設され、前記内箱部が前記第二の位置から前記第一の位置へ移動する間に、前記係止タブが前記第二の方位から前記垂直方位を通過して前記第一の方位へ前記ヒンジまわりに回動される、請求項１または請求項２に記載のパッケージ。
【請求項４】
前記内箱部が前記第一の位置へ到達するかまたは前記内箱部が前記第二の位置へ到達するときに前記係止タブが音を発するように構成されている、前掲の請求項のいずれか１項に記載のパッケージ。
【請求項５】
前記係止タブは、前記内箱部または前記外箱部の前記対向面の一方に突き当たることにより前記音を発するように構成されている、請求項４に記載のパッケージ。
【請求項６】
第二の係止機構をさらに備え、前記第一の係止機構は前記パッケージの第一の側に配され、前記第二の係止機構は前記パッケージの第二の側に配されている、前掲の請求項のいずれか１項に記載のパッケージ。
【請求項７】
前記パッケージの前記第一の側および前記第二の側は、該パッケージの互いに対向する側である、請求項６に記載のパッケージ。
【請求項８】
前記外箱部に対する前記内箱部の移動を制限するように構成された制限機構をさらに備える、前掲の請求項のいずれか１項に記載のパッケージ。
【請求項９】
前記制限手段が、前記内箱部と前記外箱部との対向面に設けられた第一の制限要素と第二の制限要素とを有し、該第一の要素と該第二の要素とが係合することにより、前記外箱部に対する前記内箱部の移動が制限される、請求項８に記載のパッケージ。
【請求項１０】
前記外箱部は、少なくとも１つの開口を備え、該開口を通じて前記内箱部を押すことにより前記外箱部に対する前記内箱部の移動を開始させることが可能な、前掲の請求項のいずれか１項に記載のパッケージ。
【請求項１１】
前記内箱部が閉位置にあるときの前記パッケージの長辺が湾曲した輪郭を有する、前掲の請求項のいずれか１項に記載のパッケージ。
【請求項１２】
前掲の請求項のいずれか１項に記載の前記内箱部を成形するためのブランク。
【請求項１３】
前掲の請求項のいずれか１項に記載の前記外箱部を成形するためのブランク。
【請求項１４】
請求項１２に記載のブランクを折り畳むことを含む、内箱部の成形方法。
【請求項１５】
請求項１３に記載のブランクを折り畳むことを含む、外箱部の成形方法。
【発明の詳細な説明】
【技術分野】
【０００１】
本発明は概してパッケージ分野に関し、特にタバコ製品に関する。より詳細には、本発明は新型のシガレット用パッケージと、かかるパッケージの制作に用いられるブランクに関する。
【背景技術】
【０００２】
人間工学的で実用的なパッケージ・デザインについては改善への要望が常に存在する。かかる要望が強い分野のひとつに、シガレット用パッケージ等のタバコ製品向けパッケージの提供分野がある。
【０００３】
シガレット用パッケージは様々なハイレベルな要求に応えなければならない。特に、このパッケージは安価で量産に耐えるのみならず、シガレットを健全に保ち、鮮度を保持するに十分なほど丈夫で、且つパッケージの開閉を多数回繰り返しても完全な状態を保てることが必要である。
【０００４】
今日のシガレット用パッケージの最も一般的な構造は恐らくヒンジ開閉式の蓋を備える箱であろう。この構造では、厚紙の箱の上部にヒンジ開閉式の蓋が一体成形されている。シガレットは縦方向に収容されており、ユーザーは蓋を開けシガレットの端部をつまんでこれを引き出すことができる。
【０００５】
ヒンジ開閉式の蓋は、ユーザーが意図的に操作しない限り開かないことが無論望ましい。蓋が閉位置から開位置へ移動することを防ぐ構造のひとつに、カラーまたはスリーブを用い、蓋がその上を必ず通過しなければならない様に構成されたものがある。このスリーブは、蓋が開く（または閉まる）と、該蓋と、蓋をそれ以上大きく動かすには乗り越えなければならないスリーブとの間に、摩擦部材が挿入される様に構成されている。
【０００６】
また、係止タブを追加的に、または代替的に用いる構造もある。例えば、係止タブを箱に取り付け、蓋を開けた時に該係止タブが該蓋の係合部に係合するように構成することができる。この係止タブの係合により、ユーザーがその抵抗力を超える力を及ぼさない限り、移動を阻止することができる。
【０００７】
上述の解決策等はヒンジ開閉式の蓋を持つ箱については或る程度の成功を収めているものの、他の構造には適していない。例えば、スライド開閉式またはスイング開閉式のシガレット用パッケージが提案されている。このような場合、シガレットを収容する内箱部が外箱部の内部に配置される。閉位置では、上記内箱部の開口部は外箱部に覆われているが、該内箱部は外箱部に対して移動することで開位置に達し、中に収容されたシガレットが取り出せるようになる。
【０００８】
スライド開閉式の場合の内箱部は外箱部に対して直線的に移動し、一方、スイング開閉式の場合の内箱部は外箱部に対し、少なくとも或る程度の回動を含む動きによって移動する。これらの構造等においては、パッケージの不用意な開放を防止するため、内箱部と外箱部との相対的移動に対する何らかの制御が求められている。
【発明の概要】
【０００９】
本発明の第一の態様によれば、外箱部と、上記外箱部の内側に配され、第一の位置と第二の位置との間で上記外箱部に対して移動可能な内箱部と、上記内箱部と上記外箱部との各対向面に設けられた係止タブと係合部とを有する係止機構と、を備えるパッケージであって、上記係止タブと上記係合部とは、上記第一の位置から上記第二の位置への上記内箱部の移動によって該係止タブの少なくとも１つが、第一の方位から、該係止タブが上記対向面に対して垂直に延在する垂直方位を通過して第二の方位へヒンジまわりに回動するように配設されていることを特徴とするパッケージが提供される。
【００１０】
本発明は、外箱部に対する内箱部の自発的な移動が抑止されたパッケージを提供することができる。上記係止タブは回動されるときに垂直方位を通過するが、この地点において内箱部と外箱部の対向面同士の離間が最大となることが必要である。したがって、係止タブを回動させるためには、これらの面を強制的に離間させておく必要がある。これらの面を離間させるのに必要な力が、上記第一の位置と第二の位置との間の動きを阻害するように働き得る。上記パッケージは、第一の位置と第二の位置との双方において上記内箱部が係止タブを介して外箱部と接触するように構成されることが好ましい。したがって、上記係止タブは内箱部と外箱部とによって適切な方位に保持されてよい。
【００１１】
好ましい一態様において、上記係止タブは上記第一の位置と第二の位置のいずれか一方または双方において外箱部に隠れる。好ましくは、上記係止タブは上記第一の位置と第二の位置の双方において外箱部に隠れる。したがって、上記係止タブの動作はユーザーからは見えない。これにより、係止タブによってもたらされる知覚効果が高められる。
【００１２】
好ましくは、上記パッケージは第二の係合部をさらに備え、該第二の係合部は少なくとも一つの上記係止タブに係合するように配設され、上記内箱部が上記第二の位置から上記第一の位置へ移動する間に、上記係止タブが上記第二の方位から上記垂直方位を通過して上記第一の方位へ上記ヒンジまわりに回動される。したがって、阻止効果が両方向へ発揮され得る。例えば、上記第一の位置は閉位置であってよく、一方、上記第二の位置は開位置であってよい。閉位置では、ユーザーによる内箱部の中身の取出しを外箱部が阻み、一方、開位置では、ユーザーは内箱部の中身を取り出すことができる。係合部を２ヶ所設けることにより、パッケージを閉める時、または開ける時のいずれかで阻止効果を発揮させることができる。さらに、第二の係合部を設けることにより、上記係止タブが第一の方位に自動的にリセットされる。これにより、係止タブの位置をリセットするための他の動作を何ら必要とせずに、該係止タブを繰り返し操作できる。
【００１３】
好ましい実施態様において、上記内箱部が上記第一の位置と第二の位置との少なくとも一方へ到達するときに、上記係止タブは音、好ましくは可聴音を発するように構成されている。好ましくは、上記係止タブは上記内箱部が第一の位置に達したとき、および、該内箱部が第二の位置に達したときに音を発するように構成されている。これにより、内箱部が所望の位置に到達していることがユーザーに合図される。この結果、特に内箱部が閉位置に達して音が発生した場合に、パッケージの操作の実感が増す。
【００１４】
好ましい実施態様において、上記係止タブは上記内箱部または外箱部の上記対向面の一方に突き当たることによって音を発するように構成されている。特に、上記係止タブは対向面に対して傾斜されていてよく、上記第一の係合部および／または第二の係合部は上記の面から隆起した部分を備えていてもよい。したがって、上記係止タブがかかる隆起部の稜線の上を通過する際、該係止タブは開放されて上記の面に突き当たる。
【００１５】
上記パッケージは第二の係止機構を備えていることが好ましく、この場合、上記第一の係止機構は該パッケージの第一の側に配され、該第二の係止機構は該パッケージの第二の側に配されている。特に好ましい態様において、パッケージの上記第一の側と第二の側とは互いに対向する。
【００１６】
パッケージの上記第一の側と第二の側は、パッケージの上下側、または前後側のいずれかであってよい。実際には、パッケージの各対向面に係止機構を備えることにより、パッケージの内箱部と外箱部の相互に対する安定性がさらに向上する。
【００１７】
好ましい態様においては、パッケージの複数の側に係止機構を設けることにより、本発明のロック効果を高めることができる。上記第二の係止機構は第一の係止機構と同様の構成を備えることが好ましく、したがって同様に動作できることが好ましい。
【００１８】
上記第一の係止機構は、第一の方向における上記パッケージの第一の側の中心から偏倚していることが好ましく、上記第二の係止機構は該第一の方向とは反対の第二の方向における上記パッケージの第二の側の中心から偏倚していることが好ましい。特に好ましい態様では、上記第一および第二の係止機構の偏倚の大きさが等しい。したがって、好ましい態様では、上記係止機構はその動作の全体的なバランスを保ちつつ、上記パッケージの中心から離れた場所に配することができ、これは別の目的からも必要になる場合がある。
【００１９】
本発明は、外箱部に対する内箱部の移動を制限するように構成された制限機構をさらに備えることが好ましい。特に、この制限機構は第一の位置および／または第二の位置を超えた内箱部の移動を防止することができる。
【００２０】
好ましい態様において、上記制限機構は上記内箱部と外箱部との対向面に設けられた第一の制限要素と第二の制限要素とを備え、該第一の要素と第二の要素とが係合することにより、外箱部に対する内箱部の移動が効果的に制限される。
【００２１】
上記第一の制限要素は制限タブであり、上記第二の制限要素は該第二の制限要素と内箱部または外箱部の面との間で上記制限タブを受容するように配されていることが好ましい。上記第二の制限要素は、例えば、外箱部または内箱部の面から内側に折り畳まれた制限フラップを備えてよく、または該制限要素と内箱部または外箱部の面との間の位置へ上記制限タブを進入させる制限部を備えてよい。
【００２２】
好ましい態様において、上記外箱部は少なくとも１つの開口を備え、該開口を通じて上記内箱部を押すことにより該外箱部に対する該内箱部の移動を開始させることが可能である。これにより、ユーザーはパッケージを容易に開けることができる。
【００２３】
上記内箱部が閉位置にあるときの上記パッケージの長辺は湾曲した輪郭を有することが好ましい。これにより、ユーザーにとって好ましい構成となり、特にユーザーの手への馴染みが良くなる。さらに、パッケージの角が尖っているとこれを携帯する容れ物、例えばユーザーのポケットやバッグなどを傷付ける恐れがあるが、上記の様であればそのおそれも少なくなる。
【００２４】
好ましい態様において、上記内箱部と外箱部との相対的な移動は、上記係止機構が設けられている対向面に対して実質的に平行である。特に、上記第一の位置から第二の位置への内箱部の移動は、直線運動を含んでよい。これに代えて、或いはこれに加え、上記第一の位置から第二の位置への内箱部の移動は回転運動を含んでよい。
【００２５】
上記外箱部には、少なくとも一つの係合部が設けられることが好ましい。同様に、好ましい形態において、上記内箱部には少なくとも一つの係止タブが設けられる。かかる構成により、上記係止タブと上記係合部との係合が効果的に且つ確実に行われると考えられる。
【００２６】
好ましい態様において、上記内箱部はその上面に少なくとも一つの開口部を備え、該開口部を通じて内箱部の中身を取り出せる様に構成される。この開口部は、上記内箱部が第一の位置にある時は外箱部に隠れる。したがって、上記第一の位置とは閉位置であり、この状態では中身を取り出すことはできない。第二の位置、即ち開位置では、上記外箱部は上記開口部を隠さない。より一般的には、上記開口部は内箱部の中身を取り出したいどの面に設けられてもよい。
【００２７】
上記内箱部の開口部は、該内箱部の少なくとも一方の側へ延在することが好ましい。かかる構成により、ユーザーにとって内箱部の中身が一層取り出しやすくなる。
【００２８】
好ましい態様において、上記内箱部と外箱部とはそれぞれ、紙、厚紙、プラスチック材料、またはこれらの組み合わせで作成される折畳み可能な１枚のブランクから得られる。実際、本発明はさらに、上記内箱部と外箱部の作成に用いられるブランクを包含する。本発明はさらに、かかるブランクから上記内箱部または外箱部を成形する方法を含む。
【図面の簡単な説明】
【００２９】
本発明の好ましい実施態様を専ら以下の図面を参照しながら実施例にもとづき説明する。
【図１】図１Ａは閉位置における本発明の第一の好ましい態様を示し、図１Ｂは開位置における本発明の第一の好ましい態様を示す。
【図２】図２Ａは第一の好ましい態様にかかる外箱部の前方側面図であり、図２Ｂは第一の好ましい態様にかかる外箱部の後方側面図である。
【図３】図３は第一の好ましい態様にかかる外箱部の製造に用いられるブランクを示す。
【図４】図４Ａは第一の好ましい態様にかかる内箱部の前方側面図であり、図４Ｂは第一の好ましい態様にかかる内箱部の後方側面図である。
【図５】図５は第一の好ましい態様にかかる内箱部の製造に用いられるブランクを示す。
【図６】図６Ａは内箱部が外箱部の内部で閉位置にある状態を示す側面図である。図６Ｂは内箱部が外箱部の内部で、該内箱部が閉位置から開位置に向かって移動する途中状態を示す側面図である。図６Ｃは内箱部が外箱部の内部で開位置にある状態を示す側面図である。図６Ｄは内箱部が外箱部の内部で、該内箱部が開位置から閉位置に向かって移動する途中状態を示す側面図である。
【図７】図７Ａは内箱部が閉位置にある場合の上記第一の好ましい態様の断面を示し、図７Ｂは内箱部が開位置にある場合の上記第一の好ましい態様の断面を示す。
【図８】図８Ａは閉位置における本発明の第二の好ましい態様を示し、図８Ｂは第一の開位置における本発明の第二の好ましい態様を示し、図８Ｃは第二の開位置における本発明の第二の好ましい態様を示す。
【図９】図９は第二の好ましい態様にかかる外箱部の前方側面図である。
【図１０】図１０は第二の好ましい態様にかかる外箱部の製造に用いられるブランクを示す。
【図１１】図１１は第二の好ましい態様にかかる内箱部の前方側面図である。
【図１２】図１２は第二の好ましい態様にかかる内箱部の製造に用いられるブランクを示す。
【図１３】図１３Ａは内箱部が外箱部の内部で閉位置にある状態を示す側面図であり、図１３Ｂは内箱部が外箱部の内部で第一の開位置にある状態を示す側面図であり、図１３Ｃは内箱部が外箱部の内部で第二の開位置にある状態を示す側面図である。
【図１４】図１４Ａは閉位置における本発明の第三の好ましい態様を示し、図１４Ｂは開位置における第三の好ましい態様を示す。
【図１５】図１５は第三の好ましい態様にかかる外箱部の前方側面図である。
【図１６】図１６は第三の好ましい態様にかかる外箱部の製造に用いられるブランクを示す。
【図１７】図１７は第三の好ましい態様にかかる内箱部の前方側面図である。
【図１８】図１８は第三の好ましい態様にかかる内箱部の製造に用いられるブランクを示す。
【図１９】図１９Ａは内箱部が外箱部の内部で閉位置にある状態を示す側面図であり、図１９Ｂは内箱部が外箱部の内部で開位置にある状態を示す側面図である。
【発明を実施するための形態】
【００３０】
本発明にかかるパッケージ１の第一の好ましい形態について、図１Ａおよび図１Ｂを参照しながら説明する。このパッケージは外箱部１００と内箱部１５０とを有する。上記内箱部１５０は上記外箱部に対して移動可能であり、特に図１Ａに示す第一の位置、即ち閉位置と、図１Ｂに示す第二の位置、即ち開位置との間でスライド可能である。
【００３１】
ユーザーは、外箱部１００の開口部１１１から覗く内箱部１５０の部分を親指または他の指で押すことにより、該内箱部１５０をスライドさせることができる。図１Ｂに示すように、この内箱部１５０は開封帯１５２を備えており、これが除去されることで該内箱部１５０に開口部が形成され、シガレット１７０が露出する。
【００３２】
上記外箱部１００と内箱部１５０とは、パックが閉位置または開位置に入ったときに可聴音を発するように互いに連結されている。さらに、上記内箱部を開位置および閉位置に保持するために、或る程度の抵抗力が付与されている。これにより、内箱部１５０に対して外箱部１００が不用意に動くことが防止される。これらの効果を奏する機構は図２Ａから図５を参照して理解される。以下、さらに詳しく説明する。
【００３３】
図２Ａ，２Ｂおよび図３に外箱部１００を示す。この外箱部は、図３に示す厚紙ブランクを折り畳むことで成形される。図２Ａは上記外箱部の前方側面図、一方図２Ｂは該外箱部１００の後方側面図である。
【００３４】
上記外箱部１００は、該外箱部１００の完成時に互いに対向する前面１０１ａと後面１０１ｂとを有する。上記前面１０１ａと後面１０１ｂとは側面１０５で連結されている。上記側面１０５には開口部１１１が形成されている。さらに、前方補強フラップ１０６ａと後方補強フラップ１０６ｂとが上記開口部１１１の前方と後方とに向けてそれぞれ形成されている。上記外箱部１００を成形する際は、図２Ａ，２Ｂに示すように、上記補強フラップ１０６ａ，１０６ｂを内側に折り曲げ、該外箱部１００の前面内側および後面内側１０１ａ，１０１ｂに糊付けする。
【００３５】
上記外箱部１００の上面は、前方上面部１０２ａ、後方上面部１０２ｂおよび側方上面部１０２ｃを備える。上記外箱部１００を成形する際は、後方上面部１０２ｂと側方上面部１０２ｃとを前方上面部１０２ａの下側に糊付けする。同様に、上記外箱部の底面は、前方底面部１０３ａ、後方底面部１０３ｂおよび側方底面部１０３ｃにより構成されている。上記外箱部を成形する際は、後方底面部１０３ｂと側方底面部１０３ｃとを前方底面部１０３ａの上側に糊付けする。
【００３６】
上記外箱部１００はさらに、上記前面１０１ａおよび後面１０１ｂからそれぞれ延在する前方規制フラップ１０７ａと後方規制フラップ１０７ｂとを備える。図２Ａ，２Ｂに示すように、前方規制フラップ１０７ａと後方規制フラップ１０７ｂとは、外箱部１００を成形する際に内側へ折り曲げられる。ここで注意すべきは、前方規制フラップ１０７ａおよび後方規制フラップ１０７ｂはそれぞれ前面１０１ａおよび後面１０１ｂの内表面には糊付けされず、単に折り重ねられており、部材がフラップ１０７ａ，１０７ｂと面１０１ａ，１０１ｂとの間に侵入できる構成となっている。
【００３７】
さらに、上記外箱部１００は前方係合フラップ１０８ａと後方係合フラップ１０８ｂとを備える。前方係合フラップ１０８ａと後方係合フラップ１０８ｂの各々は、第一の係合部１０９ａ，１０９ｂおよび第二の係合部１１０ａ，１１０ｂを備える。これら係合部１０９ａ，１０９ｂ，１１０ａ，１１０ｂは、係合フラップ１０８ａ，１０８ｂの切取り部である。上記係合フラップ１０８ａ，１０８ｂの一部を切り取ることにより、外箱部１００の内表面において隆起部と係合部との間の区別が図られる。
【００３８】
図４Ａ、４Ｂおよび図５は内箱部１５０を示す。この内箱部１５０は図５に示す厚紙ブランクを折り畳むことにより成形される。図４Ａは上記内箱部１５０の前方側面図であり、図４Ｂは該内箱部１５０の後方側面図である。
【００３９】
上記内箱部１５０は、該内箱部１５０の完成時に互いに対向する前面１５１ａと後面１５１ｂとから構成される。上記前面１５１ａと後面１５１ｂとはベース面１５６で連結されている。第一の側面は前方第一側面フラップ１５４ａと後方第一側面フラップ１５４ｂとで構成され、一方、第二の側面は前方第二側面フラップ１５５ａと後方側面フラップ１５５ｂとで構成されている。上記後方側面フラップ１５４ｂ，１５５ｂは上記前方側面フラップ１５４ａ，１５５ａの内壁面に糊付けされ、上記内箱部１５０の前方および後方側面を形成する。
【００４０】
ベースフラップ１５７は第一および第二の後方側面フラップ１５４ｂ，１５５ｂに連結されている。上記内箱部１５０を成形する際、これらベースフラップは上記ベース面１５６の上面に糊付けされる。
【００４１】
上記内箱部の上面は、後方上面フラップ１５３ｂ、前方上面フラップ１５３ａ、後方開封帯フラップ１５２ｂおよび前方開封帯フラップ１５２ａで構成される。上記前方および後方上面フラップ１５２ａ，１５２ｂは、互いに糊付けされて上記内箱部１５０の上面の常駐部を形成する。上記前方および後方開封帯フラップ１５２ａ，１５２ｂは互いに糊付けされ、図１Ｂに示す開封帯１５２を形成している。上記前方および後方開封帯フラップはミシン目を介して内箱部１５０の残部に連結され、ユーザーが該開封帯１５２を随時除去できるように構成されている。
【００４２】
上記内箱部は、前方係止タブ１６１ａと後方係止タブ１６１ｂとをさらに備える。これら係止タブ１６１ａ，１６１ｂはそれぞれ、上記前面１５１ａおよび後面１５１ｂの切落し部１６０ａ，１６０ｂに並んで設けられている。ここで、上記前方係止タブ１６１ａは上記前面１５１ａの上部に設けられ、一方、上記後方係止タブ１６１ｂは上記後面１５１ｂの下部に設けられている。より一般的には、上記前方係止タブ１６１ａおよび後方係止タブ１６１ｂは上記前面および後面１５１ａ，１５１ｂの異なる領域に設けられていることが好ましく、特に該ベース面１５６と上記前面および後面１５１ａ，１５１ｂにおける対向端部との間で、前方係止タブ１６１ａおよび後方係止タブ１６１ｂは上記前面および後面１５１ａ，１５１ｂの中心から逆方向に偏倚していることが好ましい。
【００４３】
さらに、上記内箱部は、前方制限タブ１５９ａと後方制限タブ１５９ｂとを備える。これら制限タブ１５９ａ，１５９ｂは、上記前面１５１ａおよび後面１５１ｂの切落し部１５８ａ，１５８ｂに並んでそれぞれ設けられている。ここで、上記前方制限タブ１５９ａは上記前面１５１ａの下部に設けられ、一方上記後方制限タブ１５９ｂは上記後面１５１ｂの上部に設けられる。より一般的には、上記前方制限タブ１５９ａおよび後方制限タブ１５９ｂは上記前面および後面１５１ａ，１５１ｂの異なる領域に設けられることが好ましく、特に上記ベース面１５６と上記前面および後面１５１ａ，１５１ｂにおける対向端部との間で、該前面および後面１５１ａ，１５１ｂの中心から逆方向に偏倚していることが好ましい。
【００４４】
上記パッケージ１の操作を理解する上で参照される図６Ａから図６Ｄは、上記閉位置と開位置との間で移動する上記内箱部１５０の上記外箱１００に対する相対位置を示す正面図であり、また同じく参照される図７Ａおよび図７Ｂは、図６Ａおよび図６ＣのＡ−Ａ線断面を示す平面図である。図６Ａから図６Ｄでは上記外箱部１００の不可視部分を破線で示し、一方、上記内箱部１５０の不可視部分を点線で示す。
【００４５】
図６Ａと図７Ａは、上記外箱部１００に対して閉位置にある上記内箱部１５０を示す。この位置では、上記係止タブ１６１ａ，１６１ｂは第一の係合部１０９ａ，１０９ｂの背後にあり、その様子は図７Ａでよく理解される。これらの係止タブは、この段階では上記開口部１１１から離間する方向である第一の方位を向いている。
【００４６】
図６Ａおよび図７Ａに示す上記閉位置からユーザーが上記内箱部を移動させるには、上記係止タブ１６１ａ，１６１ｂが第一の係合部１０９ａ，１０９ｂと係合するようにこの箱部を移動させる必要がある。上記内箱部１５０が徐々に動くにつれ、上記係止タブ１６１ａ，１６１ｂは、上記内箱部１５０の前面と後面１５１ａ，１５１ｂへの自身のヒンジ開閉式取付部を中心として外側へ回動する。この動作は、上記内箱部１５０および／または外箱部１００が原形から僅かに変形して上記係止タブ１６１ａ，１６１ｂ用のスペースが確保されることではじめて可能となる。この結果、上記係止タブ１６１ａ，１６１ｂが外側へ回動するにつれ、上記外箱部１００に対する上記内箱部１５０の動きへの抑制効果が発揮される。
【００４７】
上記係止タブ１６１ａ，１６１ｂは回動後に第二の方位を向き、上記外箱部１００の開口部に向かって延在する。この上記第二の方位に到達するには、これら係止タブ１６１ａ，１６１ｂは垂直方位、即ちこれらが上記内箱部１００および上記外箱部１５０の各面１０１ａ，１０１ｂ，１５１ａ，１５１ｂに垂直となる方向、を通過する。これを図示したものが図６Ｂであり、上記閉位置と開位置との中間位置を示している。
【００４８】
続いて、図６Ｃおよび図７Ｂに示すように、上記内箱部１５０を上記外箱部１００に対し、上記開位置に向けてさらに移動させる。上記内箱部が上記開位置に入ると、上記係止タブ１６１ａ，１６１ｂが上記第二の係合部１１０ａ，１１０ｂに受容される。これにより、上記内箱部１５０および／または外箱部１００が変形していない本来の形状に戻る。すると上記係止タブ１６１ａ，１６１ｂが上記前面および後面１０１ａ，１０１ｂの内面に衝突し、可聴クリック音を発し、上記内箱部が正しい位置に達したことをユーザーに感覚的に知らせる。
【００４９】
上記制限タブ１５９ａ，１５９ｂが上記規制フラップ１０７ａ，１０７ｂと係合することで、上記内箱部１５０が上記外箱部１００に対して開き過ぎることが防止される。特に、上記制限タブ１５９ａ，１５９ｂはそれぞれ、上記規制フラップ１０７ａ，１０７ｂと、上記外箱部１００の前面および後面１０１ａ，１０１ｂとの間に受容される。この結果、上記前端側の規制フラップ１０７ａ，１０７ｂが上記制限タブ１５９ａ，１５９ｂのベース部と係合すると、上記内箱部１５０は上記外箱部１００に対してそれ以上移動できなくなる。
【００５０】
上記内箱部１５０が図６Ｃおよび図７Ｂに示す上記開位置から上記閉位置へ向けて移動すると、上記係止タブの先端が上記第二の係合部１１０ａ，１１０ｂと係合し、これを外側へ回動させる。上記閉位置からの移動と同様、上記内箱部１５０および／または上記外箱部１００の変形が必要となるため、該開位置からの移動は抑止される。
【００５１】
上記内箱部の上記開位置から上記閉位置への移動によって、上記係止タブは図６Ｄに示すように上記第一の方位へ回動する。このようにして、上記係止タブ１６１ａ，１６１ｂは元の位置にリセットされる。
【００５２】
上記内箱部１５０が閉位置に入ると、上記係止タブ１６１ａ，１６１ｂは上記第一の係合部１０９ａ，１０９ｂに受容される。この時点では、上記内箱部１５０および／または上記外箱部１００は元の変形していない位置へ戻る可能性がある。上記係止タブ１６１ａ，１６１ｂが上記外箱部１５０の上記前面および後面１０１ａ，１０１ｂの内面側に突き当たると、可聴音が発生する。これは、閉じる動作が確かに完了したことを感覚的にユーザーに伝え、パッケージ１が勝手に開かない安心感をユーザーに与える上で役立つ。
【００５３】
図８Ａ、８Ｂおよび８Ｃは本発明の第二の態様を示す。このパッケージは、外箱部２００と内箱部２５０とから構成される。上記内箱部２５０は上記外箱部２００に対して移動可能であり、特に図８Ａに示す閉位置と、図８Ｂおよび８Ｃにそれぞれ示す第一および第二の開位置との間で摺動可能である。
【００５４】
ユーザーは、上記内箱部２５０を上記外箱部２００に対して押すか或いは引くことにより、該内箱部２５０を摺動させることができる。上記内箱部が上記第一または第二の開位置のいずれかにある時、ユーザーは上記パッケージからシガレット２７０を取り出すことができる。
【００５５】
上記第一の態様と同様、この第二の態様では、上記パックが上記閉位置または上記開位置のいずれかに入った時に可聴音を発するように、上記外箱部２００と上記内箱部２５０とが互いに連結されている。さらに、上記内箱部２５０を上記開位置および閉位置に保つべく、或る程度の抵抗力が付与されている。このようにして、上記内箱部２５０に対する上記外箱部２００の不用意な移動が抑止される。かかる効果を奏する上記の機構は、図９から図１２Ｃを参照して理解することができる。以下、さらに詳しく述べる。
【００５６】
図９および図１０は上記第二の態様にかかる上記外箱部２００を示す。この外箱部２００は図１０に示す厚紙を折り畳んで成形される。図９は上記外箱部２００の前方側面図であり、前面２０１ａの裏側に折り畳まれた時点で隠れて見えない部分を破線で示している。
【００５７】
上記外箱部２００は、該外箱部２００の完成時に互いに対向する前面２０１ａと後面２０１ｂを備えている。上記外箱部２００の側面は開放され、上記内箱部２５０が動けるように成されている。
【００５８】
上記外箱部２００はさらに、該外箱部の完成時に上記前面２０１ａの裏側へ折り畳まれる第一の前方フラップ２０８ａと第二の前方フラップ２０７ａとを備える。上記外箱部２００はさらに、該外箱部の完成時に上記後面２０１ｂの裏側へ折り畳まれる第一の後方フラップ２０８ｂと第二の後方フラップ２０７ｂとを備える。
【００５９】
上記第一の前方フラップ２０８ａと上記第一の後方フラップ２０８ｂはそれぞれ、第一の係合部２０９ａ，２０９ｂおよび第二の係合部２１０ａ，２１０ｂを有する。上記係合部２０９ａ，２０９ｂは上記フラップの辺であり、一方上記第二の係合部２１０ａ，２１０ｂは上記第一のフラップ２０８ａ，２０８ｂの切落し部である。上記第一の後方および前方フラップ２０８ａ，２０８ｂの各々はさら制限部２１２ａ，２１２ｂを備える。上記制限部の少なくとも先端は上記前面／後面２０１ａ，２０１ｂの内表面には固定されておらず、これにより該制限部と該前面／後面２０１ａ，２０１ｂとの間に部材が入り込む余地が生まれる。
【００６０】
上記外箱部２００はさらに上記前面２０１ａと上記後面２０１ｂとからそれぞれ延在する前方規制フラップ２０７ａと後方規制フラップ２０７ｂとを備える。この前方規制フラップ２０７ａと後方規制フラップ２０７ｂとは、図９に示すように上記外箱部２００の完成時に内側に折り畳まれる。ここで注意すべきは、上記前方規制フラップと後方規制フラップは各々、上記前面２０１ａおよび後面２０１ｂの各内表面に糊付けされていないか、または全面的に糊付けされてはおらず、これによって該規制フラップ２０７ａ，２０７ｂと該前面／後面２０１ａ，２０１ｂとの間に部材が入り込む余地が生まれる。
【００６１】
上記外箱部２００の上面は、前方上面部２０２ａと後方上面部２０２ｂとで構成されている。上記外箱部の完成時に、上記後方上面部２０２ｂは前方上面部２０２ａの下側に糊付けされる。底面２０３は上記前面２０１ａと後面２０１ｂとの間に位置し、上記外箱部２００の完成時に、該底面２０３は該外箱部２５０の底となる。
【００６２】
図１１および図１２は、上記内箱部２５０を示す。この内箱部２５０は、図１２に示す厚紙ブランクを折り畳むことで成形される。図１１は、成形された状態の上記内箱部２５０の前方側面図である。
【００６３】
上記内箱部２５０は、該内箱部２５０の完成時に互いに対向する前面２５１ａと後面２５１ｂとを有する。上記前面２５１ａと上記後面２５１ｂとはベース面２５６で連結されている。第一の側面は前方第一側面フラップ２５４ａと後方第一側面フラップ２５４ｂとで構成され、一方、第二の側面は前方第二側面フラップ２５５ａと後方側面フラップ２５５ｂとで構成されている。上記後方側面フラップ２５４ｂ，２５５ｂは上記前方側面フラップ２５４ａ，２５５ａの内表面に糊付けされ、上記内箱部２５０の前側と後側とを形成している。
【００６４】
ベースフラップ２５７は上記第一および第二の後方側面フラップ２５４ｂ，２５５ｂに連結されている。上記内箱部２５０の完成時に、上記ベースフラップは上記ベース面２５６の上面に糊付けされる。
【００６５】
上記内箱部の上面は、後方上面フラップ２５２ｂと前方上面フラップ２５２ａとで構成されている。上記前方および後方上面フラップ２５２ａ，２５２ｂは互いに糊付けされて上記上面を形成するが、上記内箱部の上端全体を覆うことはしない。実際には、上記上面には内箱部２５０に対する２つの開口部がシガレット取出し用に用意される。
【００６６】
上記内箱部２５０はさらに、前方係止タブ２６１ａと後方係止タブ２６１ｂとを備える。これら係止タブ２６１ａ，２６１ｂは上記前面／後面２０１ａ，２０１ｂに折畳み自在に連結されるフラップであり、切落し部２６０ａ，２６０ｂ内に形成されている。これら切落し部２６０ａ，２６０ｂと係止タブ２６１ａ，２６１ｂとは、対応する上記前面／後面２０１ａ，２０１ｂの実質中央に配されている。これら係止タブ２６１ａ，２６１ｂと上記前面／後面とは、該係止タブ２６１ａ，２６１ｂが傾斜して上記内箱部２５０から外方向へ延在するように連結される。
【００６７】
さらに、上記内箱部は第一の前方制限タブ２５９ａ、第二の前方制限タブ２６２ａ、第一の後方制限タブ２５９ｂ、および第二の後方制限タブ２６２ｂを有する。これらの制限タブ２５９ａ，２５９ｂ，２６２ａ，２６２ｂは上記内箱部２５０の前面および後面２０１ａ，２０１ｂに切り込みを入れることによりフラップ状に形成され、該フラップは上記前面／後面２０１ａ，２０１ｂに折畳み自在に連結されている。これら制限タブ２５９ａ，２５９ｂ，２６２ａ，２６２ｂは、上記内箱部から外方向へ傾斜している。
【００６８】
上記パッケージ２の完成時、上記内箱部２５０は上記外箱部２００の内部に配される。この時、上記係止タブ２６１ａ，２６１ｂおよび上記制限タブ２５９ａ，２５９ｂ，２６２ａ，２６２ｂは、これらが折畳み自在に連結された上記内箱部２５０の上記前面／後面２５１ａ，２５１ｂから延在し、その外方向への傾斜の結果として上記外箱部の前面／後面２０１ａ，２０１ｂの内表面と接触する。上記内箱部２５０と一体形成されたこれらタブと上記外箱部２００の上記様々な要素との相互作用により、上記内箱部２００と上記外箱部２００との相対的な移動が制限される。さらに、これら係止タブ２６１ａ，２６１ｂは、或る相対位置に達したことを知らせる可聴信号を発生させることができる。
【００６９】
上記パッケージ２の動作は、図１３Ａから図１３Ｃを参照しながら理解される。これらの図面は、図８Ａから図８Ｃに示した上記内箱部２５０と上記外箱部２００との様々な位置関係を示す正面図である。上記外箱部２００の隠れて見えない部分は破線で示し、一方、上記内箱部の隠れて見えない部分は点線で示す。
【００７０】
図８Ａと図１３Ａでは、上記内箱部２５０は上記外箱部２００に対して閉位置にある。また、図８Ｂと図１３Ｂでは、上記内箱部は上記閉位置から第一の方向に移動して第一の開位置にある。図８Ｃと図１３Ｃでは、上記内箱部２５０が上記閉位置から第二の方向に移動して第二の開位置にある。
【００７１】
図８Ａと図１３Ａに示す上記閉位置では、上記係止タブ２６１ａ，２６１ｂは、その尖端部が係合部２０９ａ，２０９ｂへ向けて延在するように配される。
【００７２】
ユーザーが上記内箱部２５０を図８Ａおよび図１３Ａに示す上記閉位置から図８Ｂおよび図１３Ｃに示す上記第一の開位置に移動させると、上記係止タブ２６１ａが上記第一の係合部２０９ａに係合する。上記内箱部２５０が漸次移動するにつれ、上記係止タブ２６１ａが上記内箱部２５０の前面２５１ａへのヒンジ開閉式取付部を中心として外方向に回動する。この動作は、上記内箱部２５０および／または外箱部２００がその原形よりわずかに変形してはじめて可能となる。この結果、上記係止タブ２６１ａが外側へ回動することに伴って、上記内箱部２５０が上記外箱部２００に対して上記第一の方向へ移動することを阻止する効果が働く。
【００７３】
上記内箱部２５０がさらに上記第一の方向へ移動すると、上記係止タブ２６１ａが上記第一の係合部２０９ａと係合することによって第二の方位へ配向し、上記内箱部２５０の前面２５１ａから上記第一の係合部２０９ａに向かって延在する状態となる。上記内箱部が図８Ｂと図１３Ｂに示すように上記第一の開位置に達すると、上記係止タブ２６１ａが上記第二の係合部２１０ａに受容される。すると上記タブ２６１ａは外側に跳ねて上記前面２０１ａの内表面に衝突し、上記内箱部が正しい位置に達したことをユーザーに知らせるクリック音を発生させる。
【００７４】
上記第二の前方制限タブ２６２ａが上記制限部２１２ａに係合し、上記第一の後方制限タブ２５９ｂが上記後方規制フラップ２０７ｂに係合することにより、上記内箱部２５０が上記外箱部２００に対して開き過ぎることが防止される。特に、上記制限タブ２６２ａが上記制限部２１２ａと上記前面２０１ａとの間に受容され、一方、上記制限タブ２５９ｂが上記規制フラップ２０７ｂと上記外箱部２００の後面２０１ｂとの間に受容される。この結果、これら制限タブ２６２ａ，２５９ｂの係合により上記内箱部が上記第一の開位置を超えて移動することが防止される。
【００７５】
上記内箱部２５０が図８Ａおよび図１３Ａに示す上記第一の開位置から上記閉位置に戻ると、上記係止タブ２６１ａの先端が上記第二の係合部２１０ａに係合し、これを外側へ回動させる。したがって、上記閉位置からの移動と同様、上記開位置からの移動にも上記内箱部２５０および／または上記外箱部２００の変形が必要となり、該移動が抑制される。
【００７６】
上記内箱部の開位置から閉位置への移動により、上記係止タブが回動して図１３Ａに示すように第一の方位を向く。このようにして、上記係止タブ２６１ａが元の位置にリセットされる。
【００７７】
上記内箱部２５０が閉位置に入ると、上記係止タブ２６１ａが上記第一の係合部２０９ａに受容される。すると、上記係止タブ２６１ａが外側へ跳ねて上記前面２０１ａの内表面に衝突し、可聴クリック音が発生する。これにより、ユーザーにはクローズ動作が完了したことが感覚的に知らされ、また上記パッケージが勝手に開かない安心感を与えることができる。
【００７８】
ここで、上記閉位置と上記第一の開位置との間で上記内箱部２５０が移動している間、上記係止タブ２６１ａは係合されるが、上記係止タブ２６１ｂはこの移動中に係合しない。これに対し、図８Ｃおよび図１３Ｃに示す上記閉位置と上記第二の開位置との間の上記内箱部２５０の移動中、上記係止タブ２６１ｂは上記外箱部２００ｂの上記後面２０１上の上記係合部２０９ｂ，２１０ｂに係合するが、上記係止タブ２６１ａは係合されない。上記閉位置と上記第二の開位置との間の移動中における上記係止タブ２６１ｂの動作は、上記閉位置と上記第一の開位置との間の移動中における上記係止タブ２６１ａの動作と同様である。特に、上記係止タブ２６１ｂは、初めは定位置から離間する方向の動きを抑制し、続いて或る場所に達した時に可聴音を発する上で効果的である。
【００７９】
同様に、上記係合タブ２５９ａ，２６２ｂは上記第一の開位置に達した時点では係合されず、上記第二の開位置に達した時に係合され、そこで上記第一の開位置における上記係合タブ２５９ｂ，２６２ａと同様に動作する。
【００８０】
本発明の第三の好ましい態様に係るパッケージを図１４Ａと図１４Ｂに示す。上記第一および第二の態様と同様、この第三の態様のパッケージは内箱部３５０と外箱部３００とを有する。上記内箱部３５０は上記外箱部に対して移動可能であり、特に図１４Ａに示す閉位置と図１４Ｂに示す開位置との間で回動可能である。
【００８１】
ユーザーは、上記外箱部３００の開口部３１１から覗く上記内箱部３５０の部分を親指または他の指で押すことにより、該内箱部３５０を回動させることができる。図１４Ｂには示していないが、上記外箱部が開位置にある時、上記内箱部３５０に収容されているシガレットにユーザーが手を伸ばせる様になる。
【００８２】
上記外箱部３００と上記内箱部３５０とは、パックが上記閉位置か上記開位置のいずれかに達した時に可聴音を発するように互いに連結されている。さらに、上記内箱部を上記開位置および上記閉位置に保持しておくために、或る程度の抵抗力が付与されている。このようにして、上記内箱部３５０が上記外箱部３００に対して不用意に移動してしまうことが防止されている。かかる効果を奏する上記機構は、図１６から図１９Ｂを参照して理解される。以下、詳細を説明する。
【００８３】
図１５と図１６に上記外箱部３００を示す。この外箱部は、図１６に示す厚紙ブランクを折り畳むことで成形されている。図１５は、成形された状態の上記外箱部３００の前方側面図である。
【００８４】
上記外箱部３００は前面３０１ａと後面３０１ｂとを有し、これらは外箱部３００の完成時に互いに対面する。上記前面３０１ａと上記後面３０１ｂとは側面３０５を介して連結されている。上記開口部３１１は上記側面３０５に形成されている。さらに、前方補強フラップ３０６ａと後方補強フラップ３０６ｂとが、上記開口部３１１の前方と後方とに向けてそれぞれ形成されている。上記外箱部３００の成形時に、これら補強フラップ３０５ａ，３０５ｂが内向きに折り畳まれ、図１５に示すように、上記外箱部３００の前面および後面３０１ａ，３０１ｂの内側に糊付けされる。
【００８５】
上記外箱部の上面は前方上面部３０２ａ、後方上面部３０２ｂおよび側方上面部３０２ｃで構成されている。上記外箱部３００の成形時に、後方上面部３０２ｂと側方上面部３０２ｃとは前方上面部３０２ａの下側で糊付けされる。同様に、上記外箱部３００の底面は前方底面部３０３ａ、後方底面部３０３ｂおよび側方底面部３０３ｃで構成されている。上記外箱部３００の成形時に、後方底面部３０３ｂと側方底面部３０３ｃとは前方底面部３０３ａの上側で糊付けされる。
【００８６】
これら底面部３０３ａ，３０３ｂ，３０３ｃで構成される上記底面は、上記外箱部３００の完成時にその底面全体を覆ってはいない。上記外箱部はさらに、上記底面部３０３ｂに折畳み自在に連結された連結フラップ３０４を備える。上記底面部３０３ｂとは異なり、この連結フラップは上記後面３０１ｂから分離されている。この結果、上記外箱部３００の完成時には、上記連結フラップ３０４は上記外箱部３００の残部に対して回動できる。後述するように、上記内箱部３５０は上記連結フラップ３０４上に取り付けられている。
【００８７】
上記外箱部３００はさらに、前方フラップ３０８ａと後方フラップ３０８ｂを備える。上記前方フラップは上記外箱部の完成時に上記前面３０１ａの裏側へ折り畳まれ、一方、上記後方フラップ３０８ｂは上記外箱部３００の成形時に上記後面３０１ｂの裏側へ折り畳まれる。
【００８８】
上記前方フラップ３０８ａと上記後方フラップ３０８ｂは各々、第一の係合部３０９ａ，３０９ｂと第二の係合部３１０ａ，３１０ｂとを有する。これら第一の係合部３０９ａ，３０９ｂは上記フラップ３０８ａ，３０８ｂの辺であり、一方これら第二の係合部３１０ａ，３１０ｂは上記フラップ３０８ａ，３０８ｂの切落し部である。上記後方フラップ３０８ｂはさらに、該後方フラップ３０８ｂの切り落とし部である制限部３０７ｂを備える。この後方フラップは、上記外箱部３００の完成時に、部材が上記制限部を介して上記後方フラップ３０８ｂと上記後面３０１ｂとの間に保持される如く、該後面３０１ｂに固定されることが好ましい。
【００８９】
上記外箱部３００はさらに、上記前面３０１ａから延在する規制フラップ３０７ａを備える。この規制フラップ３０７ａは、図１９Ａに示すように、上記外箱部３００の完成時には内側へ折り畳まれる。
【００９０】
図１７と図１８に上記内箱部３５０を示す。この内箱部３５０は、図１７に示す厚紙ブランクを折り畳むことにより成形される。図１８は成形された上記内箱部３５０の前方側面図である。
【００９１】
上記内箱部３５０は、該内箱部３５０の完成時に互いに対向する前面３５１ａと後面３５１ｂとを有する。これら前面３５１ａと後面３５１ｂは、ベース面３５６を介して連結されている。第一の側面は前方第一側面フラップ３５４ａと後方第一側面フラップ３５４ｂとで構成され、一方、第二の側面は前方第二側面フラップ３５５ａと後方側面フラップ３５５ｂとで構成されている。これら後方側面フラップ３５４ｂ，３５５ｂは上記前方側面フラップ３５４ａ，３５５ａの内表面に糊付けされ、上記内箱部３５０の前方側と後方側を構成する。
【００９２】
上記第一および第二の後方側面フラップ３５４ｂ，３５５ｂにはそれぞれベースフラップ３５７が連結されている。上記内箱部３５０の成形時に、これらベースフラップは上記ベース面３５６の上面に糊付けされる。
【００９３】
上記内箱部３５０の上端は開放されている。前方補強フラップ３５３ａと後方補強フラップ３５３ｂとが上記前面および後面３５１ａ，３５３ｂの上辺にそれぞれ連結され、内側へ折り畳まれている。
【００９４】
上記内箱部３５０はさらに、前方係止タブ３６１ａと後方係止タブ３６１ｂを備える。これら係止タブ３６１ａ，３６１ｂは、上記前面３５１ａと後面３５１ｂの切落し部３６０ａ，３６０ｂの内部にそれぞれ配されている。さらに、上記内箱部は前方制限タブ３５９ａと後方制限タブ３５９ｂとを備える。これら制限タブ３５９ａ，３５９ｂは上記前面１５１ａおよび後面１５１ｂに切込みを入れて形成されているが、底辺の折り線で繋がっている。これら両係止タブ３６１ａ，３６１ｂと上記制限タブ３５９ａ，３５９ｂとは、上記内箱部３５０の完成時に外方向へ傾斜している。
【００９５】
上記第三の好ましい態様に係るパッケージ３の完成時には、上記内箱部３５０は上記外箱部３００の内部に配される。上記外箱部３５０の上記ベース面３５６は、例えば糊付けにより、上記内箱部３００の上記連結フラップ３０４へ固定されている。上記係止タブ３６１ａ，３６１ｂおよび上記制限タブ３５９ａ，３５９ｂは、これらが折畳み自在に連結された上記内箱部３５０の上記前面／後面３５１ａ，３５１ｂから延在し、その外方向への傾斜の結果として上記外箱部３００の前面／後面３０１ａ，３０１ｂの内表面と接触する。上記内箱部３５０と一体形成されたこれらタブと上記外箱部３００の上記様々な要素との相互作用により、上記内箱部３００と上記外箱部３００との相対的な移動が制限される。さらに、これら係止タブ３６１ａ，３６１ｂは、或る相対位置に達したことを知らせる可聴信号を発生させることができる。
【００９６】
上記パッケージ２の動作は、図１９Ａと図１９Ｂを参照しながら理解される。これらの図面は、図１４Ａに示した上記閉位置と、図１４Ｂに示した開位置の双方において、上記外箱部３００に対する上記内箱部３５０の位置を示す正面図である。図１９Ａおよび図１９Ｂにおいて、上記外箱部３００の隠れて見えない部分は破線で示し、一方、上記内箱部３５０の隠れて見えない部分は点線で示す。
【００９７】
図１９Ａは、上記内箱部３５０が上記外箱部３００に対して閉位置にある場合を示している。この位置において、上記係止タブ３６１ａ，３６１ｂは各々の先端を係合部３０９ａ，３０９ｂに対向させる如く配される。
【００９８】
ユーザーが上記内箱部３５０を図１４Ａと図１９Ａに示す上記閉位置から図１４Ｂと図１９Ｂに示す上記第一の開位置へ移動させると、上記係止タブ３６１ａ，３６１ｂが上記第一の係合部３０９ａ，３０９ｂに係合する。上記内箱部３５０が漸次移動するのに伴って、上記係止タブ３６１ａ，３６１ｂが上記内箱部３５０の上記前面／後面３５１ａ，３５１ｂへのヒンジ開閉式取付部を中心として外方向に回動する。この動作は、上記内箱部３５０および／または外箱部３００がその原形よりわずかに変形してはじめて可能となる。この結果、上記係止タブ３６１ａ，３６１ｂａが外側へ回動すると、上記内箱部３５０が上記外箱部３００に対して上記第一の方向へ移動することを阻止する効果が働く。
【００９９】
上記内箱部３５０がさらに上記第一の方向に移動するのに伴って、上記係止タブ３６１ａ，３６１ｂは上記第一の係合部３０９ａ，３０９ｂとの係合によって第二の方位へ回動し、この方位においてこれらは上記内箱部３５０の上記前面３５１ａから上記第一の係合部２０９ａ，２０９ｂへ向けて延在する。上記内箱部が図１４Ｂと図１９Ｂに示す上記第一の開位置に到達すると、上記係止タブ３６１ａ，３６１ｂが上記第二の係合部３１０ａ，３１０ｂに受容される。すると、これら係止タブ３６１ａ，３６１ｂが外側へ跳ねて上記前面／後面３０１ａ，３０１ｂの内表面に衝突して可聴クリック音を発生し、ユーザーに上記内箱部が上記正しい位置に到達したことを感覚的に伝える。
【０１００】
上記内箱部３５０が上記外箱部３００に対して開き過ぎてしまうことは、上記前方制限タブ３５９ａが上記規制フラップ３０７ａに、また上記後方制限タブ３５９ｂが上記規制フラップ３０７ｂにそれぞれ係合することで防止される。特に、上記前方制限タブ３５９ａは上記規制フラップ３０７ａと上記前面３０１ａとの間に収容され、上記後方制限タブ３５９ｂは上記制限部３０７ｂを介して上記外箱部３００の上記後方フラップ３０８ｂと上記後面３０１ｂとの間に収容される。この結果、これら制限タブ３５９ａ，３５９ｂの係合により、上記内箱部３５０が上記第一の開位置を超えて移動することが防止される。
【０１０１】
上記内箱部３５０が図１４Ｂと図１９Ｂに示す上記開位置から上記閉位置に戻ると、上記係止タブ３６１ａ，３６１ｂの先端部が上記第二の係合部２１０ａ，２１０ｂに係合し、この結果、これら係止タブ３６１ａ，３６１ｂが外側へ回動する。上記閉位置からの移動と同様、上記開位置からの移動には上記内箱部３５０および／または上記外箱部３００の変形が必要となり、該移動が抑制される。
【０１０２】
上記開位置から上記閉位置へ向けて上記内箱部が移動すると、図１９Ａに示すように、上記係止タブが回動して上記第一の方位を向く。このようにして、上記係止タブ３６１ａが元の位置にリセットされる。
【０１０３】
上記内箱部３５０が閉位置に入ると、上記係止タブ３６１ａが上記第一の係合部３０９ａに受容される。すると、上記係止タブ３６１ａが外側へ跳ねて上記前面３０１ａの内表面に衝突し、可聴クリック音が発生する。これにより、ユーザーにはクローズ動作が完了したことが感覚的に通知され、また上記パッケージが勝手に開かない安心感を与えることができる。
【０１０４】
以上、本発明の特に好ましい態様を３種類述べたが、その他の態様も可能である。特に、当業者であれば、上記パッケージの特徴的な形状や構成を変形または変更することができる。特に、上記係止タブや、内箱部および外箱部上の係合部の各位置は、本発明のパッケージの機能的挙動に影響を与えることなく当業者が容易に変更するかまたは反転させることができる。他の変更例や変形例もまた、当業者にとって自明であろう。かかる変更例や変形例には、公知の同等の特徴や他の特徴を、上述した特徴に代えて、または上述した特徴に加えて、含めることができる。個別の態様として上述した各特徴は、一つの態様にまとめて提供することができる。逆に、一つの態様の中で上述した特徴を分割するか、または任意で適切に組み合わせて提供することもできる。
【図１Ａ】
2015515947.tif 000003
【図１Ｂ】
2015515947.tif 000004
【図２Ａ】
2015515947.tif 000005
【図２Ｂ】
2015515947.tif 000006
【図３】
2015515947.tif 000007
【図４Ａ】
2015515947.tif 000008
【図４Ｂ】
2015515947.tif 000009
【図５】
2015515947.tif 000010
【図６Ａ】
2015515947.tif 000011
【図６Ｂ】
2015515947.tif 000012
【図６Ｃ】
2015515947.tif 000013
【図６Ｄ】
2015515947.tif 000014
【図７Ａ】
2015515947.tif 000015
【図７Ｂ】
2015515947.tif 000016
【図８Ａ】
2015515947.tif 000017
【図８Ｂ】
2015515947.tif 000018
【図８Ｃ】
2015515947.tif 000019
【図９】
2015515947.tif 000020
【図１０】
2015515947.tif 000021
【図１１】
2015515947.tif 000022
【図１２】
2015515947.tif 000023
【図１３Ａ】
2015515947.tif 000024
【図１３Ｂ】
2015515947.tif 000025
【図１３Ｃ】
2015515947.tif 000026
【図１４Ａ】
2015515947.tif 000027
【図１４Ｂ】
2015515947.tif 000028
【図１５】
2015515947.tif 000029
【図１６】
2015515947.tif 000030
【図１７】
2015515947.tif 000031
【図１８】
2015515947.tif 000032
【図１９Ａ】
2015515947.tif 000033
【図１９Ｂ】
2015515947.tif 000034
【国際調査報告】
2015515947.tif 000035
2015515947.tif 000036